(57)【要約】【課題】通信機器の情報の漏れを防止しつつ、無線通信可能な接続先を適切に探索できるようにする。【解決手段】実通信データを無線通信可能な無線通信処理部２０ｄと、探索データを送信し、応答データを受信することにより接続先候補を探索するアクティブスキャンを実行するアクティブスキャン処理部２０ｂと、周囲からの報知データを受信することにより接続候補先を探索するパッシブスキャンを実行するパッシブスキャン処理部２０ｃと、ユーザからの無線通信処理部２０ｄの使用指示を受け付ける受付処理部１１ｂと、使用指示を受け付けた場合には、アクティブスキャンを繰り返して実行させ、使用指示を受け付けていない場合には、パッシブスキャンを実行させるスキャン制御部２０ａとを有するように構成する。【選択図】図１
2008066870.tif 000002
【特許請求の範囲】
【請求項１】
所定の実通信データを無線通信可能な無線通信手段と、
所定の探索データを送信し、当該探索データに対する応答データを受信することにより接続先候補を探索するアクティブスキャンを実行する第１探索手段と、
周囲からの報知データを受信することにより接続先候補を探索するパッシブスキャンを実行する第２探索手段と、
ユーザからの前記無線通信手段の使用指示を受け付ける受付手段と、
ユーザからの前記使用指示を受け付けた場合には、前記第１探索手段により前記アクティブスキャンを繰り返して実行させ、ユーザからの前記使用指示を受け付けていない場合には、第２探索手段により前記パッシブスキャンを実行させる探索制御手段と
を有する通信機器。
【請求項２】
前記第１探索手段又は前記第２探索手段によって探索された接続先候補から、前記実通信データを通信する際の接続先として選択する接続先選択手段を
更に有する請求項１に記載の通信機器。
【請求項３】
前記探索制御手段は、
前記無線通信手段による前記実通信データの通信時における前記アクティブスキャンの実行間隔が、前記実通信データの非通信時における前記アクティブスキャンの実行間隔より長くなるように制御することを特徴とする請求項１又は請求項２に記載の通信機器。
【請求項４】
前記探索制御手段は、
前記無線通信手段による前記実通信データの通信速度が高い場合における前記アクティブスキャンの実行間隔が、前記実通信データの通信速度が低い場合における前記アクティブスキャンの実行間隔より長くなるように制御することを特徴とする請求項１乃至請求項３のいずれか一項に記載の通信機器。
【請求項５】
前記探索制御手段は、
前記接続先との接続が切断された場合に、前記第１探索手段による前記アクティブスキャンの実行を停止させて、第２探索手段により前記パッシブスキャンを実行させることを特徴とする請求項１乃至請求項４のいずれか一項に記載の通信機器。
【請求項６】
前記探索制御手段は、前記使用指示を受け付けた場合には、前記無線通信手段による通信を開始した後に、前記第１探索手段により前記アクティブスキャンを繰り返して実行させることを特徴とする請求項１乃至請求項５のいずれか一項に記載の通信機器。
【請求項７】
所定の実通信データを無線通信可能な無線通信手段と、所定の探索用データを送信し、当該探索用データに対する応答データを受信することにより接続先候補を探索するアクティブスキャンを実行する第１探索手段と、周囲からの報知データを受信して接続先候補を探索するパッシブスキャンを実行する第２探索手段とを有する通信機器における探索制御方法であって、
ユーザからの前記無線通信手段の使用指示を受け付ける受付ステップと、
ユーザからの前記使用指示を受け付けた場合に、前記第１探索手段により前記アクティブスキャンを繰り返して実行させるステップと、
ユーザからの前記使用指示を受け付けていない場合に、第２探索手段により前記パッシブスキャンを実行させるステップと
を有する探索制御方法。
【発明の詳細な説明】
【技術分野】
【０００１】
本発明は、無線通信機能を有する通信機器に関し、無線通信による接続先候補を探索する技術に関する。
【背景技術】
【０００２】
従来、無線通信の接続先候補となる基地局等を探索し、探索結果に基づいて、基地局等との間で無線通信を行う通信機器が知られている。
【０００３】
接続先候補となる基地局等を探索する方法としては、通信機器が自己の情報を含む探索データを送信し、当該探索データに対する基地局等からの応答データを受信することにより基地局等を探索するアクティブスキャンと、通信機器は何らデータを送信することなく、基地局等から送信される報知データを受信することにより基地局等を探索するパッシブスキャンとが知られている。
【０００４】
このような通信機器において、通信機器が基地局の圏内か圏外かという帰属状態等に基づいて、アクティブスキャンと、パッシブスキャンとを切り替える発明が知られている。（例えば、特許文献１参照）。
【０００５】
【特許文献１】特開２００５−１２５３９号公報
【発明の開示】
【発明が解決しようとする課題】
【０００６】
通信機器においては、無線通信機能を必ずしも利用する必要のないものも存在する。例えば、無線通信機能以外に有線通信機能を有している通信機器や、無線通信機能を利用しなくてもよい他の機能を有している通信機器などである。
【０００７】
このような通信機器において、ユーザが無線通信機能の利用を意図していない場合に、アクティブスキャンが行われてしまうと、当該通信機器の情報が周囲に発せられてしまい、セキュリティ上好ましくない。
【０００８】
一方、当初、無線通信機能の利用を意図していなくとも、急遽、無線通信機能を利用する必要が発生するということもあり、このような状況が発生してから基地局の探索を開始すると、基地局の探索結果が得られるまで時間を要するという問題がある。
【０００９】
また、無線通信時においては、接続可能な他の基地局の情報や、当該他の基地局との通信状態等の情報をできるだけ迅速に把握したいという状況もありえる。しかしながら、迅速に表示させるためにアクティブスキャンを頻繁に実行すると、無線通信に遅延を生じさせるという問題が生じる虞もある。
【００１０】
そこで、本発明は、上記課題に鑑みなされたものであり、通信機器の情報の漏れを防止しつつ、無線通信可能な接続先候補を迅速且つ適切に探索することのできる技術を提供することを目的とする。
さらに、無線通信時における接続先候補に関する各種情報の迅速な収集と、無線通信の通信効率の維持とを適切に実現することのできる技術を提供することを目的とする。
【課題を解決するための手段】
【００１１】
上記目的達成のため、本発明の第１の態様に係る通信機器は、所定の実通信データを無線通信可能な無線通信手段と、所定の探索データを送信し、当該探索データに対する応答データを受信することにより接続先候補を探索するアクティブスキャンを実行する第１探索手段と、周囲からの報知データを受信することにより接続先候補を探索するパッシブスキャンを実行する第２探索手段と、ユーザからの無線通信手段の使用指示を受け付ける受付手段と、ユーザからの前記使用指示を受け付けた場合には、前記第１探索手段により前記アクティブスキャンを繰り返して実行させ、ユーザからの前記使用指示を受け付けていない場合には、第２探索手段により前記パッシブスキャンを実行させる探索制御手段とを有する。
【００１２】
係る通信機器によると、無線通信手段の使用指示を受けていない場合には、パッシブスキャンにより接続先候補を探索することができ、自己の情報が漏れることなく、適切に接続先候補を探索することができる。
【００１３】
また、上記通信機器において、第１探索手段又は第２探索手段によって探索された接続先候補から、実通信データを通信する際の接続先として選択する接続先選択手段を更に有するようにしてもよい。係る通信機器によると、第１探索手段又は第２探索手段によって探索された接続先候補から、実通信データを送信する際の接続先を選択することができる。
【００１４】
また、上記通信機器において、探索制御手段は、無線通信手段による実通信データの通信時におけるアクティブスキャンの実行間隔が、実通信データの非通信時におけるアクティブスキャンの実行間隔より長くなるように制御するようにしてもよい。係る通信機器によると、非通信時においては、接続先候補を迅速に探索することができ、通信時においては、実通信データの通信に遅延が発生することを適切に低減できる。
【００１５】
また、上記通信機器において、探索制御手段は、無線通信手段による実通信データの通信速度が高い場合におけるアクティブスキャンの実行間隔が、実通信データの通信速度が低い場合におけるアクティブスキャンの実行間隔より長くなるように制御するようにしてもよい。係る通信機器によると、通信速度が高い場合においては、実通信データの通信に遅延が発生することを適切に低減でき、通信速度が低い場合においては、接続先候補を迅速に探索することができる。したがって、通信速度が低い場合においては、接続先の変更等を迅速に行うことができるようになる。
【００１６】
また、上記通信機器において、探索制御手段は、接続先との接続が切断された場合に、第１探索手段によるアクティブスキャンの実行を停止させて、第２探索手段によりパッシブスキャンを実行させるようにしてもよい。係る通信機器によると、接続先との接続を切断した場合には、パッシブスキャンを実行するようになるので、自機器に関する情報の漏れを適切に防止することができる。
【００１７】
また、上記通信機器において、探索制御手段は、使用指示を受け付けた場合には、無線通信手段による通信を開始した後に、第１探索手段によりアクティブスキャンを繰り返して実行させるようにしてもよい。係る通信機器においては、実際に無線通信を行うまで、自機器に関する情報の漏れを適切に防止できる。
【００１８】
また、上記目的達成のため、本発明の第２の態様に係る探索制御方法は、所定の実通信データを無線通信可能な無線通信手段と、所定の探索用データを送信し、当該探索用データに対する応答データを受信することにより接続先候補を探索するアクティブスキャンを実行する第１探索手段と、周囲からの報知データを受信して接続先候補を探索するパッシブスキャンを実行する第２探索手段とを有する通信機器における探索制御方法であって、ユーザからの無線通信手段の使用指示を受け付ける受付ステップと、ユーザからの使用指示を受け付けた場合に、第１探索手段によりアクティブスキャンを繰り返して実行させるステップと、ユーザからの使用指示を受け付けていない場合に、第２探索手段によりパッシブスキャンを実行させるステップとを有する。係る探索制御方法によると、無線通信手段の使用指示を受けていない場合には、パッシブスキャンにより接続先候補を探索することができ、自己の情報が漏れることなく、適切に接続先候補を探索することができる。
【発明を実施するための最良の形態】
【００１９】
本発明の実施形態について、図面を参照して説明する。なお、以下に説明する実施形態は特許請求の範囲にかかる発明を限定するものではなく、また実施形態の中で説明されている特徴の組み合わせの全てが発明の解決手段に必須であるとは限らない。
【００２０】
まず、本発明の一実施形態に係る通信機器の一例としての複合機について説明する。
【００２１】
図１は、本発明の一実施形態に係る複合機の機能構成図である。
【００２２】
複合機１において、ＣＰＵ（Central Processing Unit）１１と、ＲＯＭ（Read Only Memory）１２と、ＲＡＭ（Random Access Memory）１３と、ＥＥＰＲＯＭ（Electrically Erasable Programmable Read-Only Memory）１４と、入力インターフェース部（入力Ｉ／Ｆ部）１５と、表示処理部１６と、スキャナ機能部１７と、プリンタ機能部１８と、有線通信インターフェース部（有線通信Ｉ／Ｆ部）１９と、無線通信インターフェース部（無線通信Ｉ／Ｆ部）２０とがバス２１を介して接続されている。
【００２３】
ＲＯＭ１２は、ブートプログラム等のプログラムを記憶する。ＲＡＭ１３は、プログラムやデータを記憶する領域として、或いは、ＣＰＵ１１よる処理に使用しているデータを格納する作業領域として利用される。ＥＥＰＲＯＭ１４は、書き換え可能な不揮発性メモリであり、複合機１の電源が入っていない場合でも記憶しておく必要がある各種情報を記憶する。本実施形態では、例えば、ＥＥＰＲＯＭ１４は、接続可能な基地局や通信機器等の接続先候補のＳＳＩＤ（Service Set ID）、セキュリティ情報、通信状態等の情報を記憶する。
【００２４】
入力Ｉ／Ｆ部１５には、キー部２２が接続されている。入力Ｉ／Ｆ部１５は、キー部２２からの信号をデータとして、ＣＰＵ１１に出力する。キー部２２は、複合機１の筐体に設けられた、スタートボタン、ストップボタン、ＯＫボタン、戻るボタン、テンキー等を有し、押下されたボタン、キーに応じた信号を入力Ｉ／Ｆ部１５に出力する。表示処理部１６は、例えば、ＶＲＡＭ（Video Random Access Memory）を有し、ＣＰＵ１１の制御により、各種画像データを生成し、液晶表示装置（ＬＣＤ）２３に表示出力する。
【００２５】
スキャナ機能部１７は、原稿台（図示せず）又は、原稿フィーダ（図示せず）に載置された紙等の読取対象の原稿の画像を読み取って、デジタル画像データを生成する。デジタル画像データとしては、例えば、ビットマップ形式の画像データであってもよい。プリンタ機能部１８は、紙、ＯＨＰシート等の画像形成媒体に画像形成を行う。
【００２６】
有線通信Ｉ／Ｆ部１９は、有線を介してネットワークに接続可能であり、ネットワークに接続された外部の装置とのデータ交換の仲介を行う。無線通信Ｉ／Ｆ部２０は、例えば、ＡＳＩＣ（Application Specific Integrated Circuit）等を含む回路で構成されており、探索制御手段の一例としてのスキャン制御部２０ａと、第１探索手段の一例としてのアクティブスキャン処理部２０ｂと、第２探索手段の一例としてのパッシブスキャン処理部２０ｃと、無線通信手段の一例としての無線通信処理部２０ｄとを有する。
【００２７】
アクティブスキャン処理部２０ｂは、接続先を探索するための探索データを送信し、当該探索データに対する応答データを受信することにより接続先候補を探索するアクティブスキャンを実行する。パッシブスキャン処理部２０ｃは、探索のためにデータをなんら送信することなく、周囲の基地局や通信機器からの報知データを受信することにより接続候補先を探索するパッシブスキャンを実行する。スキャン制御部２０ａは、アクティブスキャン処理部２０ｂによるアクティブキャンと、パッシブスキャン処理部２０ｃによるパッシブスキャンとの実行を制御し、探索された接続先候補の情報をＣＰＵ１１を介してＥＥＰＲＯＭ１４に格納させる。本実施形態では、スキャン制御部２０ａは、後述する通信制御部１１ｃから接続先を選択した旨の通知を受け付けた場合には、アクティブスキャンを繰り返して実行させ、選択先を選択した旨の通知を受けていない場合には、パッシブスキャンを実行させる。また、スキャン制御部２０ａは、無線通信処理部２０ｄによる実通信データの通信時におけるアクティブスキャンの実行間隔が、実通信データの非通信時におけるアクティブスキャンの実行間隔より長くなるように制御する。また、スキャン制御部２０ａは、無線通信処理部による実通信データの通信速度が高い場合におけるアクティブスキャンの実行間隔が、実通信データの通信速度が低い場合におけるアクティブスキャンの実行間隔より長くなるように制御する。無線通信処理部２０ｄは、設定として通知された接続先との間で、例えば、スキャナ機能部１７で取り込んだ画像データ、プリンタ機能部１８において印刷すべき画像の印刷データ等の実通信データを無線通信する。
【００２８】
ＣＰＵ１１は、各部１２〜２０の動作を制御する。また、ＣＰＵ１１は、ＲＯＭ１２に格納されているプログラムをＲＡＭ１３に読み出して実行することにより、表示制御部１１ａと、受付手段及び接続先選択手段の一例としての受付処理部１１ｂと、通信制御部１１ｃとを構成して各種処理を実行する。
【００２９】
表示制御部１１ａは、各種画面を表示処理部１６によりＬＣＤ２３に表示させる。本実施形態では、表示制御部１１ａは、受付処理部１１ｂから無線の接続先の設定を開始する指示（接続設定開始指示）があった旨の通知を受けた場合に、無線の有効無効を設定するための無線確認画面１００を表示させる。また、表示制御部１１ａは、受付処理部１１ｂから無線確認画面１００において無線の有効が設定された旨の通知を受けた場合には、ＥＥＰＲＯＭ１４に格納されている接続先候補の情報に基づいて、無線通信の接続先を設定するための無線ＬＡＮ設定画面１１０を表示させる。
図２は、本発明の一実施形態に係る無線確認画面の一例を示す図である。
無線確認画面１００においては、無線による通信を有効にするか、又は無効にするかの指定をするための選択枠１０１が表示されている。そして、ユーザがキー部２２の方向ボタンを押下することにより、選択枠１０１を移動させて、有効又は無効であるかを選択することができるようになっている。また、ユーザがキー部２２のＯＫボタンを押下することにより、選択枠１０１により選択された有効又は無効を決定することができるようになっている。
【００３０】
図３は、本発明の一実施形態に係る無線ＬＡＮ設定画面の一例を示す図である。
【００３１】
無線ＬＡＮ設定画面１１０には、接続可能な接続先候補の情報が表示される接続先候補情報表示領域１１１が表示される。接続先候補情報表示領域１１１には、接続先候補のＳＳＩＤと、セキュリティの有無、通信強度等の情報が表示される。なお、接続先候補情報表示領域１１１には、接続先候補が全く探索できていない場合には、何も表示されず、複数探索されていれば複数の接続先候補が表示される。接続先候補情報表示領域１１１においては、ユーザがキー部２２のボタンを操作することにより、接続先を選択する選択枠１１２を移動表示させることができるようになっている。そして、ユーザがキー部２２のＯＫボタンを押下することにより、選択枠１１２により選択された接続先候補を無線通信の接続先として選択して設定することができるようになっている。
【００３２】
図１に戻り、受付処理部１１ｂは、ユーザのキー部２２に対する操作に応じて各種指示を受け付ける。例えば、受付処理部１１ｂは、ユーザのキー部２２の操作により、無線についての接続設定開始指示を受け付け、指示を受け付けたことを表示制御部１０ａに通知する。また、受付処理部１１ｂは、無線確認画面１００に対するユーザのキー部２２の操作により、無線の有効、又は無効を受け付け、選択した内容を通信制御部１１ｃに通知する。また、受付処理部１１ｂは、無線ＬＡＮ設定画面１１０に対するユーザのキー部２２の操作により、無線の接続先を選択し、選択した内容を通信制御部１１ｃに通知する。
【００３３】
通信制御部１１ｃは、例えば、スキャナ機能部１７で取り込んだ画像データ、プリンタ機能部１８において印刷すべき画像の印刷データ等の実通信データの通信を制御する。通信制御部１１ｃは、有線による通信設定がされている場合には、当該実通信データを有線通信Ｉ／Ｆ部１９を介して通信させる一方、無線による通信設定がされている場合には、当該実通信データを無線通信Ｉ／Ｆ部２０を介して通信させる。また、通信制御部１１ｃは、受付処理部１１ｂから無線の接続先の選択した内容の通知を受けた場合には、選択した接続先の情報を無線通信Ｉ／Ｆ部２０の無線通信処理部２０ｄに通知するとともに、接続先を選択した旨をスキャン制御部２０ａに通知する。
【００３４】
図４は、本発明の一実施形態に係る接続設定処理のフローチャートである。
【００３５】
接続設定処理は、例えば、複合機１の電源が投入された際に開始される。まず、受付処理部１１ｂが、ユーザによるキー部２２に対する操作によって接続設定開始指示がされたか否かを判定し（ステップＳ１）、接続設定開始指示がされたと判定した場合には、その旨を表示制御部１１ａに通知する。表示制御部１１ａは、無線確認画面１００を表示させる（ステップＳ２）。次いで、受付処理部１１ｂがユーザによるキー部２２に対する操作によって無線を有効にする指示がされたか否かを判定し（ステップＳ３）、有効にする指示がされていない場合には、ステップＳ１からの処理を実行する一方、有効にする指示がされている場合には、その旨を表示制御部１１ａに通知する。表示制御部１１ａは、ＥＥＰＲＯＭ１４に格納されている最新の接続先候補の情報に基づいて、無線ＬＡＮ設定画面１１０を表示させる（ステップＳ４）。ここで、ＥＥＰＲＯＭ１４に格納されている接続先候補の情報は、後述する図５に示すスキャン制御処理によって探索されている。
【００３６】
次いで、受付処理部１１ｂが、ユーザによるキー部２２に対する操作によって、接続先の選択がされたか否かを判定し（ステップＳ５）、接続先の選択がされていない場合には、当該ステップを繰り返す一方、接続先の選択がされている場合には、選択がされた旨を通信制御部１１ｃに通知し、通知を受けた通信制御部１１ｃは、選択された接続先の情報を無線通信Ｉ／Ｆ部２０の無線通信処理部２０ｄに通知して、接続先として設定させるとともに、接続先を選択した旨の通知をスキャン制御部２０ａに通知し（ステップＳ６）、次のステップＳ７に進む。
【００３７】
一方、接続設定開始指示がされていないと判定した場合には（ステップＳ１のＮＯ）、何もしないで、次のステップＳ７に進む。
【００３８】
ステップＳ７において、受付処理部１１ｂが、ユーザにより終了指示がされたか否かを判定し、終了指示がなかった場合には、上記ステップＳ１からの処理を再び実行する一方、終了指示があった場合には、処理を終了する。
【００３９】
図５は、本発明の一実施形態に係るスキャン制御処理のフローチャートである。
【００４０】
スキャン制御処理は、例えば、複合機１の電源が投入された際に開始される。まず、スキャン制御部２０ａは、パッシブスキャン処理部２０ｃによりパッシブスキャンを実行させ、パッシブスキャンによって探索された接続先候補の情報をＥＥＰＲＯＭ１４に格納させる（ステップＳ１１）。次いで、スキャン制御部２０ａは、無線の接続先を選択した旨の通知があったか否かを判定する（ステップＳ１２）。この結果、選択した旨の通知がない場合（ステップＳ１２のＮＯ）には、ステップＳ１１からの処理を再び実行する。
【００４１】
一方、選択した旨の通知があった場合（ステップＳ１２のＹＥＳ）には、スキャン制御部２０ａは、アクティブスキャン処理部２０ｂによりアクティブスキャンを実行させ、アクティブスキャンによって探索された接続先候補の情報をＥＥＰＲＯＭ１４に格納させる（ステップＳ１３）。次いで、スキャン制御部２０ａは、無線通信処理部２０ｄによる無線通信が通信状態にあるか、非通信状態にあるかを判定する（ステップＳ１４）。ここで、非通信状態とは、接続先との接続状態は保たれているものの実通信データが送信されていない、いわゆるアイドル状態のことを意味している。そして、通信状態にある場合には、更に、無線通信処理部２０ｄによる無線通信が所定通信レート以上であるか否かを判定する（ステップＳ１５）。
【００４２】
この結果、所定通信レート以上である場合には（ステップＳ１５のＹＥＳ）、現在の通信が適切であると判断して、通信への影響をできるだけ抑えるように、アクティブスキャンを実行する周期を９０秒に設定する（ステップＳ１６）。一方、所定通信レート未満の場合（ステップＳ１５のＮＯ）には、接続先を切り替える可能性が考えられるので、通信への影響を抑えつつ、接続先候補の情報を迅速に取得できるように、アクティブスキャンを実行する周期を６０秒に設定する（ステップＳ１７）。一方、無線通信処理部２０ｄによる無線通信が非通信状態にある場合（ステップＳ１４の非通信側）には、アクティブスキャンをしても無線通信への遅延を発生させないことを意味するので、できるだけ迅速に接続先候補の情報を取得できるように、アクティブスキャンを実行する周期を３０秒に設定する（ステップＳ１８）。
【００４３】
次いで、アクティブスキャンの実行から周期時間が経過したか否かを判定し（ステップＳ１９）、周期時間を経過していない場合には、上記ステップＳ１４からの処理を再び実行する一方、周期時間を経過している場合には、アクティブスキャンの実行を行うステップＳ１３からの処理を再び実行することにより、最新の接続先候補の情報を探索する。
【００４４】
以上説明したように、本実施形態に係る複合機１によると、無線接続先の設定を行っていない場合には、アクティブスキャンが実行されないので、アクティブスキャンによる自己の情報の漏れを適切に防止することができる。また、アクティブスキャンを実行していなくとも、無線接続先の設定をする際には、既にパッシブスキャンによって得た接続先候補の情報を迅速に表示させることができる。
【００４５】
以上、本発明を実施形態に基づいて説明したが、本発明は上述した実施の形態に限られず、他の様々な態様に適用可能である。
【００４６】
例えば、上記実施形態では、無線通信の設定がされた場合に、アクティブスキャンを開始するようにしていたが、本発明はこれに限られず、例えば、無線による実通信が開始されたときに、アクティブスキャンを開始するようにしてもよい。これによると、実際に無線が出力されて始めて、自己の情報を含む探索データが送信されることになり、自己の情報が漏れる状況の発生を極力抑えることができる。
【００４７】
また、上記実施形態では、接続設定開始指示を受け付けた際に、接続先候補を表示するようにしていたが、本発明はこれに限られず、例えば、無線接続をしている際に、常時、又は所定の時間毎に接続先候補の情報を表示させるようにしてもよい。
【００４８】
また、上記実施形態では、接続先を選択して設定した際に、アクティブスキャンの実行を開始するようにしていたが、本発明はこれに限られず、例えば、無線確認画面１００において、無線を有効にする指定を受け付けた場合に、アクティブスキャンの実行を開始するようにしてもよく、無線接続を使用することをユーザが明示したと判断できるいずれかの時点に開始するようにしてもよい。なお、より具体的な無線通信の設定が決まった時点でアクティブスキャンの実行を開始するようにしたほうが、機器の情報が漏れる事態をより適切に防止することができる。
また、上記実施形態において、無線通信を長時間実行していない場合に、アクティブスキャンからパッシブスキャンに切り替えて実行させるようにしてもよい。このようにすると、自己の情報が漏れる状況の発生を適切に抑えることができる。
【００４９】
また、上記実施形態では、通信機器の一例として、複合機を例に説明していたが、本発明はこれに限られず、無線通信可能な通信機器であればよい。
【００５０】
また、上記実施形態における受付処理部１１ｂ、通信制御部１１ｃ、スキャン制御部２０ａ等の各機能手段は、上記した構成に限られず、それぞれ、例えば、ＣＰＵのみによって構成されてもよく、ＣＰＵとＡＳＩＣ等の回路とが共働することによって構成されてもよく、また、回路のみによって構成されていてもよい。
【図面の簡単な説明】
【００５１】
【図１】本発明の一実施形態に係る複合機の機能構成図である。
【図２】本発明の一実施形態に係る無線確認画面の一例を示す図である。
【図３】本発明の一実施形態に係る無線ＬＡＮ設定画面の一例を示す図である。
【図４】本発明の一実施形態に係る接続設定処理のフローチャートである。
【図５】本発明の一実施形態に係るスキャン制御処理のフローチャートである。
【符号の説明】
【００５２】
１  複合機、１１  ＣＰＵ、１１ａ  表示制御部、１１ｂ  受付処理部、１１ｃ  通信制御部、１２  ＲＯＭ、１３  ＲＡＭ、１４  ＥＥＰＲＯＭ、１５  入力Ｉ／Ｆ部、１６  表示処理部、１７  スキャナ機能部、１８  プリンタ機能部、１９  有線通信Ｉ／Ｆ部、２０  無線通信Ｉ／Ｆ部、２０ａ  スキャン制御部、２０ｂ  アクティブスキャン処理部、２０ｃ  パッシブスキャン処理部、２０ｄ  無線通信処理部、２１  バス、２２  キー部、２３  ＬＣＤ。
【図１】
2008066870.tif 000003
【図２】
2008066870.tif 000004
【図３】
2008066870.tif 000005
【図４】
2008066870.tif 000006
【図５】
2008066870.tif 000007